(57)【要約】【課題】維持管理の負担を軽減でき、平常時でも利用できる津波避難ステージを提供する。【解決手段】内部空間を有する台状でありコンクリート製のステージ本体１０と、ステージ本体１０の上面に構成された避難場所２０と、避難場所２０に昇降するための昇降手段３０とを備える。ステージ本体１０は、ボックスカルバート１１で構成されている。ステージ本体１０がコンクリート製であるので、耐力に優れ、津波による衝撃に耐えることができ、維持管理の負担を軽減できる。ステージ本体１０の内部空間は種々の用途に利用できるので、平常時でも利用できる。ボックスカルバート１１を増設・撤去することで避難場所２０を拡張・縮小できるので、周辺地域の避難人口の増減に合わせて津波避難ステージＡのサイズを変更できる。【選択図】図１
2015025253.tif 000002
【特許請求の範囲】
【請求項１】
内部空間を有する台状でありコンクリート製のステージ本体と、
前記ステージ本体の上面に構成された避難場所と、
前記避難場所に昇降するための昇降手段と、を備える
ことを特徴とする津波避難ステージ。
【請求項２】
前記ステージ本体は、ボックスカルバートまたは門型カルバートで構成されている
ことを特徴とする請求項１記載の津波避難ステージ。
【請求項３】
前記ステージ本体は道路を跨いで設けられており、
前記昇降手段は前記道路を挟んで少なくとも２つ設けられている
ことを特徴とする請求項１または２記載の津波避難ステージ。
【請求項４】
前記ステージ本体の内部空間が、駐車場、駐輪場、スポーツ施設、イベント会場、休憩所、風雨の避難場所の内の一または複数として構成されている
ことを特徴とする請求項１または２記載の津波避難ステージ。
【請求項５】
前記避難場所に、照明設備および／または防災設備が設けられている
ことを特徴とする請求項１、２、３または４記載の津波避難ステージ。
【請求項６】
前記ステージ本体の側壁に、水が浸入できる開口が設けられている
ことを特徴とする請求項１、２、３、４または５記載の津波避難ステージ。
【請求項７】
前記ステージ本体の側壁の外面は、勾配を有している
ことを特徴とする請求項１、２、３、４または５記載の津波避難ステージ。
【発明の詳細な説明】
【技術分野】
【０００１】
本発明は、津波避難ステージに関する。さらに詳しくは、津波が発生した際に人々が避難するための津波避難ステージに関する。
【背景技術】
【０００２】
津波避難用の設備として、鉄骨造りの柱の上部に避難台を設けた津波避難タワーが知られている（例えば、特許文献１）。このような津波避難タワーは、津波により流されてきた大型の浮遊物が衝突すると、柱が曲がって不安定となる恐れがある。また、津波避難タワーは沿岸部に設置されることが多いことから、鉄骨の表面を亜鉛メッキ等で保護したとしても潮風の影響で錆びやすい。そのため、定期的な維持管理が不可欠であり、維持管理費用が多大である。
【０００３】
津波避難タワーの多くは安全上の問題から平常時は扉を封鎖して自由な出入りを制限している。津波避難タワーを利用するような大型の津波の発生頻度は、数十年、数百年に一度であるにもかかわらず、平常時は利用できず施設が無駄になる。
【先行技術文献】
【特許文献】
【０００４】
【特許文献１】実用新案登録第３１７８２４６号公報
【発明の概要】
【発明が解決しようとする課題】
【０００５】
本発明は上記事情に鑑み、維持管理の負担を軽減でき、平常時でも利用できる津波避難ステージを提供することを目的とする。
【課題を解決するための手段】
【０００６】
第１発明の津波避難ステージは、内部空間を有する台状でありコンクリート製のステージ本体と、前記ステージ本体の上面に構成された避難場所と、前記避難場所に昇降するための昇降手段と、を備えることを特徴とする。
第２発明の津波避難ステージは、第１発明において、前記ステージ本体は、ボックスカルバートまたは門型カルバートで構成されていることを特徴とする。
第３発明の津波避難ステージは、第１または第２発明において、前記ステージ本体は道路を跨いで設けられており、前記昇降手段は前記道路を挟んで少なくとも２つ設けられていることを特徴とする。
第４発明の津波避難ステージは、第１または第２発明において、前記ステージ本体の内部空間が、駐車場、駐輪場、スポーツ施設、イベント会場、休憩所、風雨の避難場所の内の一または複数として構成されていることを特徴とする。
第５発明の津波避難ステージは、第１、第２、第３または第４発明において、前記避難場所に、照明設備および／または防災設備が設けられていることを特徴とする。
第６発明の津波避難ステージは、第１、第２、第３、第４または第５発明において、前記ステージ本体の側壁に、水が浸入できる開口が設けられていることを特徴とする。
第７発明の津波避難ステージは、第１、第２、第３、第４または第５発明において、前記ステージ本体の側壁の外面は、勾配を有していることを特徴とする。
【発明の効果】
【０００７】
第１発明によれば、ステージ本体がコンクリート製であるので、耐力に優れ、津波による衝撃に耐えることができる。また、長期の耐久性に優れ、維持管理の負担を軽減できる。さらに、ステージ本体の内部空間は種々の用途に利用できるので、平常時でも津波避難ステージを利用できる。
第２発明によれば、ステージ本体がボックスカルバートまたは門型カルバートで構成されているので、施工性に優れ、工期を短縮できる。また、ボックスカルバートまたは門型カルバートを増設・撤去することで避難場所を拡張・縮小できるので、周辺地域の避難人口の増減に合わせて津波避難ステージのサイズを変更できる。
第３発明によれば、ステージ本体が道路を跨いで設置されているので、平常時は津波避難ステージを歩道橋として利用できる。
第４発明によれば、ステージ本体の内部空間を種々の用途に合わせて構成することで、平常時の利用価値を高めることができる。
第５発明によれば、照明設備および／または防災設備が設けられているので、避難場所に避難した人々がある程度の時間待機することができる。
第６発明によれば、ステージ本体の側壁に開口が設けられているので、津波による衝撃を逃がすことができ、津波に対する耐久性を高めることができる。
第７発明によれば、ステージ本体の側壁の外面が勾配を有しているので、津波の水勢を上方向に逃がして津波による衝撃を低減でき、津波に対する耐久性を高めることができる。
【図面の簡単な説明】
【０００８】
【図１】本発明の第１実施形態に係る津波避難ステージの正面図である。
【図２】同津波避難ステージの平面図である。
【図３】同津波避難ステージの側面図である。
【図４】本発明の第２実施形態に係る津波避難ステージの正面図である。
【図５】本発明の第３実施形態に係る津波避難ステージの側面図である。
【図６】本発明の第４実施形態に係る津波避難ステージの正面図である。
【図７】本発明のその他の実施形態に係る津波避難ステージの（Ａ）平面図、（Ｂ）正面図である。
【発明を実施するための形態】
【０００９】
つぎに、本発明の実施形態を図面に基づき説明する。
（第１実施形態）
まず、本発明の第１実施形態に係る津波避難ステージＡを説明する。図１、図２および図３において、符号１０は津波避難ステージＡのステージ本体であり、複数のボックスカルバート１１を連接して、断面矩形のトンネル状に構成されている。ボックスカルバート１１は、地面Ｇを若干掘り下げて打設された基礎コンクリート１２に載置されている。このようにボックスカルバート１１は地面Ｇに載置されており、その大部分が地上に現れている。
【００１０】
ボックスカルバート１１は、上面と底面と一対の側壁とからなる箱形のプレキャストコンクリート製品である。ボックスカルバート１１の開口端面は互いに接続可能となっている。連接させるボックスカルバート１１の数によりステージ本体１０の軸方向の寸法を定めることができる。使用されるボックスカルバート１１の寸法は、津波避難ステージＡのサイズに合わせて任意のものを採用することができる。大型の津波避難ステージＡを構成するために分割式のボックスカルバート１１を用いてもよい。ボックスカルバート１１を連接させる数も津波避難ステージＡのサイズに合わせて任意の数とすることができる。もちろん、１つのボックスカルバート１１によりステージ本体１０を構成してもよい。さらに、ボックスカルバート１１に代えて、底面のない門型カルバートを用いてステージ本体１０を構成してもよい。
【００１１】
ステージ本体１０の上面は、津波が発生した際に人々が避難するための避難場所２０として構成されている。避難場所２０は、津波が発生したときの予想水位ＷＬよりも高い位置に設けられている。換言すれば、ステージ本体１０の高さ寸法は、避難場所２０が予想水位ＷＬよりも高くなるよう設計されている。
【００１２】
ステージ本体１０の両方の側壁の外側には、それぞれ階段３０、３０が設けられている。階段３０により地面Ｇと避難場所２０とが接続され、人々が避難場所２０に昇降することができる。階段３０には、昇降の補助や転落の防止のために手摺３１が設けられている。なお、階段３０が、特許請求の範囲に記載の「昇降手段」に相当する。昇降手段としては、階段３０の他、スロープ、エスカレータ、エレベータ等を採用できる。ただし、動力を使わず災害時でも確実に昇降可能な階段やスロープを設けることが好ましい。
【００１３】
ステージ本体１０は道路Ｒを跨いで設けられている。すなわち、ステージ本体１０のトンネル状の内部空間には道路Ｒが敷設されている。また、２つの階段３０、３０は、それぞれ道路Ｒを挟んで設けられており、その下端は道路Ｒの両脇の歩道等に接続している。そのため、一方の階段３０を昇って避難場所２０を横断し、他方の階段３０を降りることで、道路Ｒを横断できる。すなわち、平常時は津波避難ステージＡを歩道橋として利用できる。なお、階段３０等の昇降手段は道路Ｒを挟んで少なくとも２つ設けられていればよく、３つ以上設けられてもよい。
【００１４】
避難場所２０には、階段３０との接続部分を除き、その周囲を囲うように手摺２１が設けられており、避難場所２０から人が転落することを防止している。また、避難場所２０には照明設備２２が設けられている。照明設備２２としては、災害時でも利用できるようにソーラーバッテリーおよび蓄電池を備えたものが好ましい。
【００１５】
さらに、避難場所２０には、収納ベンチ２３、トイレベンチ２４、かまどベンチ２５等の防災設備が設けられている。収納ベンチ２３は内部に収納部を有するベンチである。収納ベンチ２３には、水、防寒具、ラジオ、トランシーバー、非常電源、テント等の災害時に必要な防災用品を収納しておくことが好ましい。トイレベンチ２４は内部に便座やシュート等が格納されたベンチであり、平常時はベンチとして使用でき、災害時はトイレとして使用できる。かまどベンチ２５は内部に五徳等が格納されたベンチであり、平常時はベンチとして使用でき、災害時はかまどとして使用できる。このように、防災設備としては、平常時でもベンチ等として利用できるものが好ましい。
【００１６】
避難場所２０に照明設備２２や防災設備２３、２４、２５が設けられているので、避難場所２０に避難した人々は、津波が引くまで、あるいは救助が来るまで、ある程度の時間待機することができる。
【００１７】
以上のように、津波避難ステージＡは、ステージ本体１０がコンクリート製の壁構造であり、ステージ本体１０の全体で強度を保つため、鉄骨造りの柱構造よりも耐力に優れ、津波による衝撃に耐えることができる。また、津波避難ステージＡは、ステージ本体１０がコンクリート製であるので、長期の耐久性に優れ、維持管理がほとんど必要なく、維持管理の手間や費用等の負担を軽減できる。
【００１８】
また、ステージ本体１０がプレキャストコンクリート製品であるボックスカルバート１１で構成されているので、施工性に優れ、工期を短縮できる。
【００１９】
大型の津波の発生頻度は、数十年、数百年に一度であり、津波避難ステージＡは長期的に利用できる必要があるので、周辺地域の避難人口の増減に合わせて津波避難ステージＡのサイズを見直す必要がある。津波避難ステージＡは、施工後であっても、ボックスカルバート１１を増設することで避難場所２０を拡張できる。一部のボックスカルバート１１を撤去することで避難場所２０を縮小することもできる。このように、避難場所２０を拡張・縮小できることから、周辺地域の避難人口の増減に合わせて津波避難ステージＡのサイズを変更できる。
【００２０】
本実施形態の津波避難ステージＡは、ステージ本体１０が道路Ｒを跨いで設置されているので、平常時は津波避難ステージＡを歩道橋として利用でき、施設が無駄とならない。
【００２１】
津波避難ステージＡを歩道橋以外の他の用途に利用できるように構成してもよい。例えば、ステージ本体１０の内部空間を道路Ｒに代えて、駐車場、駐輪場、スポーツ施設、イベント会場、休憩所として構成してもよい。スポーツ施設とする場合には、ステージ本体１０の内壁に、バスケットボール用ゴールや、クライミングウォール等のスポーツ設備を設けてもよい。また、ステージ本体１０の内部空間は上面と側面が囲まれているので、豪雨や風、竜巻を防ぐことができ、雨風の避難場所として利用できる。ステージ本体１０の内部空間は、単一の用途に限られず、場面によって種々の用途に利用できる多目的空間として構成してもよい。このように、ステージ本体１０の内部空間は種々の用途に利用できるので、平常時でも津波避難ステージＡを利用でき、施設が無駄とならない。
【００２２】
（第２実施形態）
図４に示すように、本発明の第２実施形態に係る津波避難ステージＢは、ステージ本体１０を構成するボックスカルバート１１が、軸方向のみならず、幅方向にも連接された構成である。その余の構成は第１実施形態に係る津波避難ステージＡと同様であるので、同一部材に同一符号を付して説明を省略する。
【００２３】
このように、ボックスカルバート１１を幅方向に連接することで、避難場所２０を幅広にできる。しかも、ステージ本体１０の内部空間の中央に支持壁を有する構成となるので、ステージ本体１０の耐力を向上させることができ、津波による衝撃に耐えることができる。
【００２４】
（第３実施形態）
図５に示すように、本発明の第３実施形態に係る津波避難ステージＣは、ステージ本体１０の側壁に複数の開口１３が設けられた構成である。例えば、ボックスカルバート１１の側壁の連接面に凹部を形成し、このボックスカルバート１１を連接して凹部を合わせることで開口１３が形成されている。開口１３はステージ本体１０の内部と外部とを連通し水が浸入できれば、その形状や寸法は特に限定されない。その余の構成は第１実施形態に係る津波避難ステージＡと同様であるので、同一部材に同一符号を付して説明を省略する。
【００２５】
このように、ステージ本体１０の側壁に開口１３が設けられているので、津波が押し寄せても水が開口１３からステージ本体１０の内部に浸入でき、津波による衝撃を逃がすことができる。すなわち、津波の受圧面積を減らすことができ、津波避難ステージＣの津波に対する耐久性を高めることができる。
【００２６】
（第４実施形態）
図６に示すように、本発明の第４実施形態に係る津波避難ステージＤは、ボックスカルバート１１の両側の側壁の外側に波力軽減ブロック１４、１４が設けられている。波力軽減ブロック１４は、ステージ本体１０の幅方向に勾配を有するブロックである。その勾配は、図６に示す例のように、高くなるにつれて徐々に急勾配となるように構成してもよいし、全体に渡って単一勾配としてもよい。波力軽減ブロック１４により、ステージ本体１０の側壁の外面がステージ本体１０の幅方向に勾配を有するよう構成されている。その余の構成は第１実施形態に係る津波避難ステージＡと同様であるので、同一部材に同一符号を付して説明を省略する。
【００２７】
ステージ本体１０の側壁の外面が勾配を有しているので、津波が押し寄せても津波の水勢を上方向に逃がして津波による衝撃を低減できる。これにより、津波避難ステージＣの津波に対する耐久性を高めることができる。
【００２８】
なお、波力軽減ブロック１４を緑化ブロックで構成することで、ステージ本体１０の側壁を緑化してもよい。また、波力軽減ブロック１４を設ける構成に代えて、ボックスカルバート１１の側壁自体を、勾配を有する構成としてもよい。
【００２９】
（その他の実施形態）
階段３０等の昇降手段は、第１実施形態の津波避難ステージＡのように、ステージ本体１０の外側に設けてもよいし（図１参照）、第４実施形態の津波避難ステージＤのように、ステージ本体１０の内側に設けてもよい（図６参照）。階段３０をステージ本体１０の内側に設ける場合には、ステージ本体１０の上面の一部に開口を形成し、その開口に階段３０の上端が接続される。
【００３０】
また、図７に示すように、ステージ本体１０の側方に昇降手段としてのスロープ４０を設けてもよい。スロープ４０は、例えばステージ本体１０の側壁に一対の擁壁４１、４１を設け、その間に盛土をすることで形成される。擁壁４１の上縁には転落防止用の柵を設けてもよい。このように、盛土によりスロープ４０を設ける場合においても、ステージ本体１０の開口部分は地表に現れるようにし、ステージ本体１０の内部空間にアクセス可能として、平常時でも利用できるように構成する。
【００３１】
図７に示す例では、ステージ本体１０の一方の側壁に階段３０が設けられ、他方の側壁にスロープ４０が設けられた構成であるが、ステージ本体１０の両方の側壁にスロープ４０を設ける構成としてもよい。
【００３２】
また、ステージ本体１０の上面に天窓を設けてもよい。この場合、避難場所２０から天窓を通じて落下しないように、天窓には強化ガラスを嵌め込むか、手摺で囲うことが好ましい。
【００３３】
また、昇降手段３０や、ステージ本体１０の内部空間に門扉を設けてもよい。門扉を設置する場合には、災害時の利用の妨げにならないものとすることが好ましい。
【００３４】
さらに、ステージ本体１０は、ボックスカルバート１１や門型カルバートで構成する以外にも、現場打ちで構成してもよい。ステージ本体１０は、内部空間を有する台状でありコンクリート製であればよい。
【符号の説明】
【００３５】
Ａ〜Ｄ  津波避難ステージ
１０    ステージ本体
１１    ボックスカルバート
１２    基礎コンクリート
１３    開口
１４    波力軽減ブロック
２０    避難場所
２１    手摺
２２    照明設備
２３    収納ベンチ
２４    トイレベンチ
２５    かまどベンチ
３０    階段
３１    手摺
４０    スロープ
４１    擁壁
【図１】
2015025253.tif 000003
【図２】
2015025253.tif 000004
【図３】
2015025253.tif 000005
【図４】
2015025253.tif 000006
【図５】
2015025253.tif 000007
【図６】
2015025253.tif 000008
【図７】
2015025253.tif 000009